(57)【要約】【課題】従来の花器は、保管・輸送に大きなスペースを必要とし、壊れやすいという問題があった。これは、ガラスや陶磁器製にて筒状・壺状等に成形されているためである。【解決手段】扁平状に折り畳みできる断面形状が筒状に形成した外枠と内枠のうち、外枠内に内枠を内設し、この内枠内に対応的切り込み溝に互いに嵌合して十字形に交差するところの一対の整形板を内設し、この一対の整形板の下辺を卓上に二重に載置するところの水平板に断面形状が逆Ｔ字形にそれぞれ接合して整形板を直立して、内枠を整形板に固定するところの扁平状に折り畳みできる花材保持板を内枠内に内設し、この断面形状がＶ字形の上部開口部に扁平状に折り畳みできる円錐形に形成した防水板よりなる貯水容器を着脱自在に装着すると共に、小さなスペースで保管・輸送が可能な折り畳み方式にて、卓上に倒れることのない組立花器にすることができる。【選択図】図１６
2009119214.tif 000002
【特許請求の範囲】
【請求項１】
開閉自在なる折り曲げ線により折り畳みできる断面形状が正方形の筒状に形成した内枠と外枠のうち、外枠内に装着した内枠対角線上の十字形なる交差線上にて、一対の４辺形からなる整形板を上下の対応的切り込み溝に互いに嵌合して組合せ、４辺のうちの対向する２辺間を二等分する開閉自在なる折り曲げ線により折り畳みできる断面形状がＶ字形なる花材保持板の上部開口部を、前記内枠の上部開口部内に配設し、前記花材保持板の下部頂点は前記整形板の上辺上に載置するところの折り畳み式組立花器。
【請求項２】
卓上に二重に載置するうちの下側水平板には、切り込み溝を交差線上の上方向に有するところの前記整形板の下辺を、開閉自在なる折り曲げ線をもつて断面形状が逆Ｔ字形に接合し、切り込み溝を交差線上の上方向に有するところの前記整形板が貫通できる開口溝を有する上側水平板には、切り込み溝を交差線上の下方向に有するところの前記整形板の下辺を、開閉自在なる折り曲げ線をもつて断面形状が逆Ｔ字形に接合した請求項１記載の折り畳み式組立花器。
【請求項３】
上部開口部の対向する２辺の延長を、前記内枠の上部開口縁に巻き込んで折り返し、下部頂点の延長は、前記整形板と対応的凹凸をもつて係合するところの前記花材保持板を着脱自在に装着した請求項１又は請求項２記載の折り畳み式組立花器。
【請求項４】
防水板よりなる円錐形にて、底面は前記花材保持板の上部開口部に対応して開口し、頂点は前記花材保持板の頂点に対応して袋状とし、側面に配設するところの頂点よりの放射状の開閉自在なる折り曲げ線により折り畳みできる貯水容器を、前記花材保持板内に着脱自在に装着した請求項１〜３の何れかに記載の折り畳み式組立花器。
【発明の詳細な説明】
【技術分野】
【０００１】  本発明は、家庭・事務所等で使用されるもので、主として一輪ざし等の小さな花を生けるための組立花器に関する。
【背景技術】
【０００２】  従来、家庭・事務所等で使用される花器は、ガラスや陶磁器製にて筒状・壺状に成形していた。
【発明の開示】
【発明が解決しようとする課題】
【０００３】  背景技術で述べたガラスや陶磁器製にて筒状・壺状に成形された花器は、形状が筒状・壺状であることより保管・輸送に大きなスペースを必要とすることになる。そして、花を生けた状態で倒れただけでこれが壊れたり、取り扱い中に物に当たってこれが壊れたりするため細心の注意を払う必要があった。【０００４】  本発明は、従来のこのような問題点に鑑みてなされたものであり、その目的とするところは、小さなスペースで保管・輸送が可能な折り畳み方式とし、倒れて壊れることのない組立花器を提供しようとするものである。
【課題を解決するための手段】
【０００５】  そして、本発明は上記目的を達成するために、開閉自在なる折り曲げ線により折り畳みできる断面形状が正方形の筒状に形成した内枠と外枠のうち、外枠内に装着した内枠対角線上の十字形なる交差線上にて、一対の４辺形からなる整形板を上下の対応的切り込み溝に互いに嵌合して組合せ、４辺のうちの対向する２辺間を二等分する開閉自在なる折り曲げ線により折り畳みできる断面形状がＶ字形なる花材保持板の上部開口部を、前記内枠の上部開口部内に配設し、前記花材保持板の下部頂点は前記整形板の上辺上に載置したものである。【０００６】  また、第２の課題解決手段は、卓上に二重に載置するうちの下側水平板には、切り込み溝を交差線上の上方向に有するところの前記整形板の下辺を、開閉自在なる折り曲げ線をもつて断面形状が逆Ｔ字形に接合し、切り込み溝を交差線上の上方向に有するところの前記整形板が貫通できる開口溝を有する上側水平板には、切り込み溝を交差線上の下方向に有するところの前記整形板の下辺を、開閉自在なる折り曲げ線をもつて断面形状が逆Ｔ字形に接合したものである。【０００７】  また、第３の課題解決手段は、上部開口部の対向する２辺の延長を、前記内枠の上部開口縁に巻き込んで折り返し、下部頂点の延長は、前記整形板と対応的凹凸をもつて係合するところの前記花材保持板を着脱自在に装着したものである。【０００８】  また、第４の課題解決手段は、防水板よりなる円錐形にて、底面は前記花材保持板の上部開口部に対応して開口し、頂点は前記花材保持板の頂点に対応して袋状とし、側面に配設するところの頂点よりの放射状の開閉自在なる折り曲げ線により折り畳みできる貯水容器を、前記花材保持板内に着脱自在に装着したものである。【０００９】  上記第１の課題解決手段による作用は次の通りである。すなわち、整形板を内設するところの内枠、及び、この内枠を内設するところの外枠が、開閉自在なる折り曲げ線をもって扁平状に折り畳みでき、小さなスペースで保管・輸送が可能な折り畳み方式となると共に、一対の整形板を対応的切り込み溝に互いに嵌合して組合せて、十字形に交差したものが内枠内の対角線上に位置して、内枠と共に外枠の断面形状が正方形の筒状に安定した状態にて整形されることとなる。
また、折り畳みできる断面形状がＶ字形なる花材保持板の下部頂点は整形板の上辺上に載置し、上部開口部を内枠の上部開口部内に配設しており、この花材保持板の上部開口部より花材を挿入して、花材が内枠・外枠内に安定した状態にて保持されることとなる。【００１０】  また、第２の課題解決手段による作用は、十字形に交差する一対の整形板の下辺を、卓上に二重に載置するところの水平板に断面形状が逆Ｔ字形にそれぞれ接合して整形板を直立することにより、折り畳み式組立花器は卓上に倒れることのないものとなる。【００１１】  また、第３の課題解決手段による作用は、断面形状がＶ字形の花材保持板の上部開口部の対向する２辺の延長を、内枠の上部開口縁に巻き込んで折り返し、下部頂点の延長を整形板と対応的凹凸をもつて係合することにより、組立られた外枠を上方向に引き上げて内枠と分離する場合、内枠もこれに連動して引き上げられることはなく、内枠及び貯水容器は安定した状態に保持されることとなる。【００１２】  また、第４の課題解決手段による作用は、底面は花材保持板の上部開口部に対応して開口し、頂点は断面形状がＶ字形の花材保持板の頂点に対応するところの、防水板からなる円錐形の生の花材をいけるための貯水容器は、花材保持板内に安定した状態にて着脱自在に装着できると共に、頂点よりの放射状の開閉自在なる折り曲げ線をもって扁平状に折り畳みできて、小さなスペースで保管・輸送が可能なものとなる。
【発明の効果】
【００１３】
【００１４】  上述したように本発明における折り畳み式組立花器は、小さなスペースで保管・輸送が可能な折り畳み方式の組立花器となると共に、花材保持板により花材が安定した状態となる。【００１５】  また、卓上に載置するところの水平板は、内枠・外枠を卓上に安定して直立することとなり、折り畳み式組立花器は倒れることのないものとなる。【００１６】  また、内枠を整形板に固定するところの花材保持板により、外枠を上方向に引き上げても、内枠及び貯水容器は引き上げられることなく安定した状態となる。【００１７】  また、防水板からなる円錐形の生の花材をいけるための貯水容器は、小さなスペースで保管・輸送が可能な折り畳み方式となると共に、花材保持板内に着脱自在に装着できるものとなる。
【発明の実施するための最良の形態】
【００１８】  以下、本発明の実施の形態１〜３を、図１〜図２０に基づいて説明する。
【００１９】  先ず、実施の形態１を示す図１〜図５において、折り畳み式組立花器は外枠１、内枠２、整形板３、４、花材保持板５より構成されている。
外枠１は１枚の厚み０．２ｍｍ程度の厚紙を用い、４枚の側板１Ａ〜１Ｄからなるところの断面形状が正方形なる筒状にしたものであり、４角１Ｅ〜１Ｈのうちの角１Ｅにて、一方の側板１Ｄにのり代１Ｉを設けて、他方の側板１Ａに接着剤で貼り合わせている。
また、外枠１は、４角１Ｅ〜１Ｈに配設した折り曲げ線１Ｊ〜１Ｍにより、側板１Ａと１Ｂ及び側板１Ｃと１Ｄ、または、側板１Ａと１Ｄ及び側板１Ｂと１Ｃをそれぞれ折り重ねて、扁平状に折り畳まれることとなる。
【００２０】  外枠１内に内設するところの内枠２も１枚の厚み０．２ｍｍ程度の厚紙を用いて、４枚の側板２Ａ〜２Ｄからなるところの断面形状が、外枠１の断面形状よりも一回り小さい正方形なる筒状にしたものであり、４角２Ｅ〜２Ｈ、のり代２Ｉ、折り曲げ線２Ｊ〜２Ｍは、外枠１の４角１Ｅ〜１Ｈ、のり代１Ｉ、折り曲げ線１Ｊ〜１Ｍにそれぞれ相当するものである。
【００２１】  内枠２内に内設するところの外形形状が同等なる一対の整形板３、４は、厚み０．５ｍｍ程度の厚紙より四辺３Ａ〜３Ｄ、４Ａ〜４Ｄからなる四辺形にて、この整形板３、４は、内枠２内側の対角線２Ｐ、２Ｑ上に十字形に交差しており、それぞれの上辺３Ａ、４Ａと、下辺３Ｃ、４Ｃとの間に位置する交差線３Ｅ、４Ｅ上において、一方の整形板３には、下辺３Ｃより中間点３Ｆまでの下半分に切り込み溝３Ｇを配設しており、他方の整形板４には、上辺４Ａより中間点４Ｆまでの上半分に切り込み溝４Ｇを配設し、この上下の対応的切り込み溝３Ｇ、４Ｇに、整形板３、４を互いに嵌合している。
したがって、一対の整形板３、４は簡単に十字形に組立ができ、十字形に交差する整形板３、４のそれぞれの両端の縦辺３Ｂ、３Ｄ及び４Ｂ、４Ｄが、内枠２内側の四角２Ｅ〜２Ｈに挟着され、卓上に直立するところの外枠１及び内枠２は、断面形状が正方形なる筒状に安定することとなる。
【００２２】  花材保持板５は、厚み０．５ｍｍ程度の長方形の厚紙が、四辺５Ａ〜５Ｄのうちの対向する短辺５Ｂ、５Ｄに平行するところの折り曲げ線５Ｅにて二等分されて、断面形状がＶ字形に成形するものであり、この上部開口部５Ｆは内枠２の上部開口部２Ｒ内に設置され、下部頂点５Ｇは内枠２内の整形板３、４の上辺３Ａ、４Ａ上に載置されている。
したがって、花材保持板５の断面形状がＶ字形を形成するところの下方向に間隔が狭くなる２面５Ｈ、５Ｉ間に、花材が挟着されて、挿入された花材は、外枠１及び内枠２内に安定して保持され、外枠１内に内設するところの内枠２内に、整形板３、４及び花材保持板５が着脱自在に装着されると共に、小さなスペースで保管・輸送が可能な折り畳み方式の組立花器にすることができる。
【００２３】  上記の実施例において、外枠１、内枠２、整形板３、４、花材保持板５、は厚紙製としているが、これをプラスチック板や木製板等とし、折り曲げ線を要する角には折り曲げできるところの厚紙や、軟質なるプラスチック板等を使用してもよい。
また、外枠１の側板１Ａ〜１Ｄを形成している厚紙に強度を必要とする場合、上部開口部１Ｎの上部開口縁１Ｐで折り返して側板を二重構造とし、さらに、この二重構造の間に別の補強板を下方向より挿入するならば、側板は強度のあるものとなる。
また、外枠１の強度には関係なく、色・柄等を変更したい場合、断面形状が実施例の外枠１より一回り大きいものを外枠１に付設すれば簡単に可能とすることができる。
なお、一対の整形板３、４の上辺３Ａと側辺３Ｂ、３Ｄ、及び、上辺４Ａと側辺４Ｂ、４Ｄとの交わるところの角はそれぞれ直角としているが、この角に丸みを付けるならば、この整形板はスムーズに内枠２内に挿入できることは言うまでもない。
【００２４】  次に、実施の形態２を示す図６〜図１５において、折り畳み式組立花器は外枠１、内枠２、整形板６、７、花材保持板５、貯水容器８より構成されている。
実施の形態２は、上記実施の形態１における整形板３、４に、卓上に二重に載置するところの長方形からなる上側水平板９と下側水平板１０をそれぞれ接合し、また、花材保持板５内に貯水容器８を装着する場合の実施例であり、外枠１、内枠２、花材保持板５は上記実施の形態１におけるものと共通である。
【００２５】  一対の整形板６、７のうち、整形板６は下側水平板１０に上記実施の形態１の整形板４を、また、整形板７は上側水平板９に上記実施の形態１の整形板３をそれぞれ接合するものであり、上側水平板９は分割水平板１３、１４に、下側水平板１０は分割水平板１５、１６にそれぞれ分割されている。
まず、整形板６は分割水平板１５、１６と二重整形板１９、２０より構成されており、切り込み溝１９Ｋ、２０Ｋを交差線１９Ｉ、２０Ｉ上の上半分に有するところの二重整形板１９、２０は、上記実施の形態１における整形板４とそれぞれ同等であり、四辺１９Ａ〜１９Ｄ、２０Ａ〜２０Ｄ、交差線１９Ｉ、２０Ｉ、中間点１９Ｊ、２０Ｊ、切り込み溝１９Ｋ、２０Ｋは、上記実施の形態１における整形板４の四辺４Ａ〜４Ｄ、交差線４Ｅ、中間点４Ｆ、切り込み溝４Ｇにそれぞれ相当するものである。
また、分割水平板１５、１６は厚み０．５ｍｍ程度の厚紙の長方形からなる下側水平板１０を、短辺に平行するところの中央付近の分割線１０Ａをもつて２分割して四辺１５Ａ〜１５Ｄ、１６Ａ〜１６Ｄからなる２枚の長方形から構成されている。
そして、この二重整形板１９、２０の下辺１９Ｃ、２０Ｃは、分割水平板１５、１６の分割線１０Ａに位置するところの２辺１５Ａ、１６Ａの中央付近に、開閉自在なる折り曲げ線をもつて一体にそれぞれ接合している。
また、二重整形板１９、２０は、接着剤にて互いに貼り合せたところの二重構造としており、この二重整形板１９、２０と分割水平板１５、１６は断面形状が逆Ｔ字形に形成されることとなると共に、二重整形板１９、２０を中にして分割水平板１５、１６は折り重ねることができることとなる。
【００２６】  次に、整形板７は分割水平板１３、１４と二重整形板１７、１８より構成されており、切り込み溝１７Ｋ、１８Ｋを交差線１７Ｉ、１８Ｉ上の下半分に有するところの二重整形板１７、１８は、上記実施の形態１における整形板３とそれぞれ同等であり、四辺１７Ａ〜１７Ｄ、１８Ａ〜１８Ｄ、交差線１７Ｉ、１８Ｉ、中間点１７Ｊ、１８Ｊ、切り込み溝１７Ｋ、１８Ｋは、上記実施の形態１における保持板３の四辺３Ａ〜３Ｄ、交差線３Ｅ、中間点３Ｆ、切り込み溝３Ｇにそれぞれ相当するものである。
また、分割水平板１３、１４は厚み０．５ｍｍ程度の厚紙の長方形からなる上側水平板９を、長辺に平行するところの中央付近の分割線９Ａをもつて２分割して四辺１３Ａ〜１３Ｄ、１４Ａ〜１４Ｄからなる２枚の長方形から構成されている。
そして、上記二重整形板１９、２０と同様な要領にて、この二重整形板１７、１８の下辺１７Ｃ、１８Ｃは、分割水平板１３、１４の分割線９Ａに位置するところの２辺１３Ａ、１４Ａの中央付近に、開閉自在なる折り曲げ線をもつて一体にそれぞれ接合している。
また、上記二重整形板１９、２０と同様な要領にて、二重整形板１７、１８は、接着剤にて互いに貼り合せたところの二重構造としており、この二重整形板１７、１８と分割水平板１３、１４は断面形状が逆Ｔ字形に形成されることとなると共に、二重整形板１７、１８を中にして分割水平板１３、１４は折り重ねることができることとなる。
【００２７】  また、二重整形板１７、１８と１９、２０を十字形に交差する場合、すなわち、上側水平板９と下側水平板１０を重ね合わせる場合において、二重整形板１７、１８を有する上側水平板９には、整形板６の二重整形板１９、２０が貫通できるところの開口溝２１Ａ、２１Ｂを設けている。
なお、上側水平板９は分割線９Ａにより分割水平板１３、１４に２分割されて、開口溝２１Ａ、２１Ｂも２分割されており、二重整形板１７、１８の切り込み溝１７Ｋ、１８Ｋの延長上に位置している開口溝２１Ａ、２１Ｂは、この切り込み溝１７Ｋ、１８Ｋにそれぞれつながるものとなつている。
したがって、重ね合わせた上側水平板９と下側水平板１０に、十字形に交差するところの二重整形板１７、１８と１９、２０が直立することとなり、上記実施の形態１と同等の要領にて外枠１内に内設するところの内枠２内に、整形板６、７及び花材保持板５が着脱自在に装着されると共に、外枠１及び内枠２は安定して直立されて、折り畳み式組立花器が卓上に安定して載置されることとなる。
【００２８】  貯水容器８は、厚み０．０２ｍｍ程度の四辺形の防水加工紙を折り畳んで成形しており、折り畳む要領は、折り畳みの手順１として、まず、四辺形の原紙を折り曲げ線８Ｍをもって二つ折りし、側辺８Ｃ、８Ｆに平行して四辺形を二等分するところの中心線８Ｇを設ける。上辺は中心線８Ｇにて分割されて８Ａと８Ｂから構成され、また、折り曲げ線８Ｍを有する下辺も中心線８Ｇにて分割されて８Ｄと８Ｅから構成されている。
次に折り畳みの手順２として、下辺８Ｄ、８Ｅ上の中心線８Ｇとの交点を頂点８Ｈとして、側辺８Ｃ、８Ｆが中心線８Ｇ上に位置するようにそれぞれ折り返し、上辺は８Ａ、８Ｆと８Ｂ、８Ｃからなり、斜辺は８Ｊと８Ｋからなる二等辺三角形を形成する。
また、折り畳みの手順３として、この二等辺三角形において中心線８Ｇに対して左右の折り返しが互いに重なり合うように、さらに、中心線８Ｇでもつて二つ折りして直角三角形を形成する。
なお、この直角三角形においては、８面８Ｐ〜８Ｗの防水加工紙が重なり合うこととなり、上部開口部８Ｌにおいて８面８Ｐ〜８Ｗのうちの最も外側の１面８Ｐと残りの７面８Ｑ〜８Ｗとに分け、この７面８Ｑ〜８Ｗをステイプラー８Ｘ等でとじるならば、外側の１面８Ｐと、とじられた７面８Ｑ〜８Ｗが対向するところの上部開口部８Ｌをもって、上記の要領で折り畳んだ直角三角形は袋状の円錐形にすることができ、花材保持板５のＶ字形断面に対応して花材保持板５内に装着できることとなる。
したがって、生の花材をいけるための貯水容器８は、花材保持板５内に着脱自在に装着されると共に、小さなスペースで保管・輸送が可能な折り畳み方式の貯水容器８にすることができる。
【００２９】  上記の実施例において、整形板６、７及び上側水平板９と下側水平板１０は厚紙製としているが、これをプラスチック板や木製板等とし、分割水平板１３〜１６と二重整形板１７〜２０を接合するところの角において、折り曲げできる厚紙や軟質なるプラスチック板等を使用し、これらを接着剤にて貼り合せてもよい。
また、整形板６、７は、それぞれ２枚の厚紙より形成されているが、二重整形板１７、１８と１９、２０の上辺１７Ａ、１８Ａと１９Ａ、２０Ａで折り返すところの１枚の厚紙にて形成してもよい。
また、分割水平板１３、１４と１５、１６は小さく折り畳むために２分割しているが、２分割しない１枚もののほうが、より安定して直立できることは言うまでもない。そこで、二重保持板１７、１８と１９、２０の下辺に折り曲げ線をもつて接続片を付設し、これを２分割しない１枚ものの水平板に接着剤にて貼り合せてもよい。
【００３０】  また、上側水平板９と下側水平板１０の上に、さらに、２分割しない１枚ものの水平板を重ねて付設して整形板６、７がより安定できるようにしてもよい。ただし、この重ねて付設する１枚ものの水平板の中央付近には、十字形に交差するところの二重整形板１７、１８と１９、２０が貫通できる開口溝が必要となる。
この時、この十字形の開口溝の中に二重整形板１７、１８と１９、２０が挟着されて、上側水平板９と下側水平板１０が無くても整形板６、７が安定するのであれば、上側水平板９と下側水平板１０は必要なく、上記実施の形態１における整形板３、４と同等なものでよくなることは言うまでもない。
また、この１枚ものの水平板を木製板等のある程度の厚みのあるものとし、この底面において、大きさは上側水平板９及び下側水平板１０の外形形状より一回り大きく、上側水平板９と下側水平板１０の厚みより深くするところの凹状の切削部を設け、この凹状の切削部内に上側水平板９と下側水平板１０を嵌込むならば、外部より上側水平板９と下側水平板１０の外周縁は見えることはなくなり、外観上好ましいものとなる。
【００３１】  また、貯水容器８は紙製としているが、これをプラスチック板より成形してもよい。また、実施例においては四辺形の防水加工紙を折り畳んで成形しているが、側面に設ける頂点と開口部を結ぶ分割線にて展開できる扇型のものより成形し、側面に設ける頂点と開口部を結ぶ折り曲げ線にて扁平状に折り畳むようにしてもよい。また、貯水容器の開口部は円形にこだわるものではなく、楕円形や多角形であっても問題はない。
また、貯水容器８は必ずしも折り畳み式とする必要もなく、形状が円錐形であれば、飲料自動販売機にも使用されている市販の紙コップと同等の材質・要領にて成形してもよい。
【００３２】  次に、実施の形態３を示す図１６〜図２０において、折り畳み式組立花器は外枠１、内枠２、整形板１１、７、固定型花材保持体１２、貯水容器８より構成されている。
実施の形態３は、上記実施の形態２における花材保持板５の上部開口部５Ｆに折り返し２８Ｅ、２９Ｅを設け、下部頂点５Ｇの延長に設けた係止片２８Ｆ、２９Ｆを、整形板１１の係止孔２２Ｌ、２３Ｌに係合する場合の実施例であり、外枠１、内枠２、整形板７、貯水容器８は上記実施の形態２におけるものと共通である。
【００３３】  一対の整形板１１、７のうちの整形板１１は、上記実施の形態２における整形板６と同等であり、二重整形板２２、２３の四辺２２Ａ〜２２Ｄ、２３Ａ〜２３Ｄ、交差線２２Ｉ、２３Ｉ、中間点２２Ｊ、２３Ｊ、切り込み溝２２Ｋ、２３Ｋは、上記実施の形態２における二重整形板１９、２０の四辺１９Ａ〜１９Ｄ、２０Ａ〜２０Ｄ、交差線１９Ｉ、２０Ｉ、中間点１９Ｊ、２０Ｊ、切り込み溝１９Ｋ、２０Ｋにそれぞれ相当するものである。
また、下側水平板３０を形成する分割線３０Ａ及び分割水平板２４、２５の四辺２４Ａ〜２４Ｄ、２５Ａ〜２５Ｄは、上記実施の形態２における分割線１０Ａ及び分割水平板１５、１６の四辺１５Ａ〜１５Ｄ、１６Ａ〜１６Ｄにそれぞれ相当するものである。
ただし、二重整形板２２、２３の交差線２２Ｉ、２３Ｉ上において、中間点２２Ｊ、２３Ｊと下辺２２Ｃ、２３Ｃの間に四辺形からなる係止孔２２Ｌ、２３Ｌを設けている。
【００３４】  固定型花材保持体１２は、厚み０．５ｍｍ程度の厚紙にて、四辺２８Ａ〜２８Ｄ、２９Ａ〜２９Ｄのうちの短辺２８Ａ、２９Ａ、２８Ｃ、２９Ｃは、上記実施の形態２における花材保持板５の短辺５Ｂ、５Ｄと同等なる大きさからなるところの２枚の長方形の固定型花材保持板２８、２９からなり、この２枚の固定型花材保持板２８、２９を長手方向において上方部分２８Ｇ、２９Ｇと下方部分２８Ｈ、２９Ｈに分ける時、上方部分２８Ｇ、２９Ｇは互いに接着されないが、下方部分２８Ｈ、２９Ｈは合成接着剤にて互いに接着されている。
固定型花材保持体１２と整形板１１、７は、下方部分２８Ｈ、２９Ｈにて交差させており、この下方部分２８Ｈ、２９Ｈにおいて長手方向の先端に位置する係止片２８Ｆ、２９Ｆを除いて、交差線２８Ｉ、２９Ｉに沿って２分割されるうちの片方は切り除かれ、整形板１１、７のうちの整形板１１においては、係止孔２２Ｌ、２３Ｌに固定型花材保持体１２の係止片２８Ｆ、２９Ｆが嵌合され、整形板７においては、切り込み溝１７Ｋ、１８Ｋの間に係止片２８Ｆ、２９Ｆが貫通され、固定型花材保持体１２は二重整形板１７、１８、２２、２３と４５度程度の角度をもつて交差できることとなる。
また、上方部分２８Ｇ、２９Ｇにおいて、互いに接着されない２枚の固定型花材保持板２８、２９を左右に開いて、先端をそれぞれ内枠２の上部開口縁２Ｓに巻き込み、折り曲げ線２８Ｊ、２９Ｊをもって折り返している。したがって、固定型花材保持体１２の上方部分２８Ｇ、２９Ｇの上部開口部１２Ａは、上記実施の形態２における花材保持板５と同等なるＶ字形の断面形状となり、貯水容器８を着脱自在に装着できることとなる。
また、上方部分２８Ｇ、２９Ｇの先端をそれぞれ内枠２の上部開口縁２Ｓに巻き込んで折り返した状態で外枠２内に装着する場合、この折り返し２８Ｅ、２９Ｅは外枠１と内枠２の間に挟着されて、外枠１を引き上げて内枠２と外枠１を分離しないかぎり、折り返した状態は開かれることはなく、上方部分２８Ｇ、２９Ｇは内枠２の上部開口部２Ｒに固定されることとなる。
【００３５】  したがって、固定型花材保持体１２の下方部分２８Ｈ、２９Ｈの係止片２８Ｆ、２９Ｆが、整形板７の切り込み溝１７Ｋ、１８Ｋの間を貫通し、また、整形板１１の係止孔２２Ｌ、２３Ｌに嵌合して固定型花材保持体１２は整形板１１、７に固定されると共に、この固定型花材保持体１２の上方部分２８Ｇ、２９Ｇは内枠２の上部開口部２Ｒに固定されているため、外枠１内に装着された内枠２も整形板１１、７に固定されることとなり、組立られた外枠１を上方向に引き上げて分離する場合、内枠２もこれに連動して引き上げられることはなく、内枠２及び貯水容器８は安定した状態に保持されることとなる。
なお、この内枠２を整形板１１、７から分離する場合は上記の説明からわかるように、外枠１を上方向に引き上げて内枠２と分離し、固定型花材保持体１２の上方部分２８Ｇ、２９Ｇの折り返した状態を開くならば、固定型花材保持体１２と内枠２は分離されて、内枠２は整形板１１、７から簡単に分離できることとなる。
【００３６】  上記の実施例において、固定型花材保持体１２は２枚の長方形の花材保持板２８、２９を互いに接着しているが、下方部分２８Ｈ、２９Ｈにおける長辺２８Ｄ、２９Ｄの位置で折り返すところの１枚のものより形成してもよい。
なお、固定型花材保持体１２の係止片２８Ｆ、２９Ｆにおいて、長辺２８Ｂ、２９Ｂと短辺２８Ｃ、２９Ｃとの交わるところの角はそれぞれ直角としているが、この角に丸みを付けるならば、この係止片２８Ｆ、２９Ｆはスムーズに整形板１１の係止孔２２Ｌ、２３Ｌ内に挿入できることは言うまでもない。
【図面の簡単な説明】
【００３７】
【図１】本発明の実施の形態１を示す組立花器の側面より見た要部断面図
【図２】同組立花器の平面より見た要部断面図
【図３】同切り込み溝を交差線上の下半分に有するところの整形板の平面図
【図４】同切り込み溝を交差線上の上半分に有するところの整形板の平面図
【図５】同花材保持板の展開図
【図６】本発明の実施の形態２を示す組立花器の側面より見た要部断面図
【図７】同組立花器の平面より見た要部断面図
【図８】同切り込み溝を交差線上の上半分に有するところの二重整形板と分割水平板を接合したものの展開図
【図９】同切り込み溝を交差線上の上半分に有するところの二重整形板と分割水平板を接合したものの側面より見た要部断面図
【図１０】同切り込み溝を交差線上の下半分に有するところの二重整形板と分割水平板を接合したものの展開図
【図１１】同切り込み溝を交差線上の下半分に有するところの二重整形板と分割水平板を接合したものの側面より見た要部断面図
【図１２】同貯水容器の平面より見た要部断面図
【図１３】同折り畳みの手順１を示す貯水容器の平面図
【図１４】同折り畳みの手順２を示す貯水容器の平面図
【図１５】同折り畳みの手順３を示す貯水容器の平面図
【図１６】本発明の実施の形態３を示す組立花器の側面より見た要部断面図
【図１７】同組立花器の平面より見た要部断面図
【図１８】同切り込み溝を交差線上の上半分に有するところの二重整形板と分割水平板を接合したものの展開図
【図１９】同切り込み溝を交差線上の上半分に有するところの二重整形板と分割水平板を接合したものの側面より見た要部断面図
【図２０】同固定型花材保持板の展開図
【符号の説明】
【００３８】                                                            １  外枠
１Ａ〜１Ｄ、２Ａ〜２Ｄ  側板
１Ｅ〜１Ｈ、２Ｅ〜２Ｈ  角
１Ｉ、２Ｉ  のり代
１Ｊ〜１Ｍ、２Ｊ〜２Ｍ、５Ｅ、８Ｍ、２８Ｊ、２９Ｊ  折り曲げ線
１Ｎ、２Ｒ、５Ｆ、８Ｌ、１２Ａ  上部開口部
１Ｐ、２Ｓ  上部開口縁
２  内枠
２Ｐ、２Ｑ  対角線
３、４、６、７、１１  整形板
３Ａ〜３Ｄ、４Ａ〜４Ｄ、５Ａ〜５Ｄ、８Ａ〜８Ｆ
１３Ａ〜１３Ｄ、１４Ａ〜１４Ｄ、１５Ａ〜１５Ｄ、１６Ａ〜１６Ｄ
１７Ａ〜１７Ｄ、１８Ａ〜１８Ｄ、１９Ａ〜１９Ｄ、２０Ａ〜２０Ｄ
２２Ａ〜２２Ｄ、２３Ａ〜２３Ｄ、２８Ａ〜２８Ｄ、２９Ａ〜２９Ｄ  辺
３Ｅ、４Ｅ、１７Ｉ〜２０Ｉ、２２Ｉ、２３Ｉ、２８Ｉ、２９Ｉ  交差線
３Ｆ、４Ｆ、１７Ｊ〜２０Ｊ、２２Ｊ、２３Ｊ  中間点
３Ｇ、４Ｇ、１７Ｋ〜２０Ｋ、２２Ｋ、２３Ｋ  切り込み溝
５  花材保持板
５Ｇ  下部頂点
５Ｈ、５Ｉ、８Ｐ〜８Ｗ  面
８  貯水容器
８Ｇ  中心線
８Ｈ  頂点
８Ｊ、８Ｋ  斜辺
８Ｘ  ステイプラー
９  上側水平板
１０、３０  下側水平板
９Ａ、１０Ａ、３０Ａ  分割線
１２  固定型花材保持体
１３〜１６、２４、２５  分割水平板
１７〜２０、２２、２３  二重整形板
２１Ａ、２１Ｂ  開口溝
２２Ｌ、２３Ｌ  係止孔
２８、２９  固定型花材保持板
２８Ｅ、２９Ｅ  折り返し
２８Ｆ、２９Ｆ  係止片
２８Ｇ、２９Ｇ  上方部分
２８Ｈ、２９Ｈ  下方部分
【図１】
2009119214.tif 000003
【図２】
2009119214.tif 000004
【図３】
2009119214.tif 000005
【図４】
2009119214.tif 000006
【図５】
2009119214.tif 000007
【図６】
2009119214.tif 000008
【図７】
2009119214.tif 000009
【図８】
2009119214.tif 000010
【図９】
2009119214.tif 000011
【図１０】
2009119214.tif 000012
【図１１】
2009119214.tif 000013
【図１２】
2009119214.tif 000014
【図１３】
2009119214.tif 000015
【図１４】
2009119214.tif 000016
【図１５】
2009119214.tif 000017
【図１６】
2009119214.tif 000018
【図１７】
2009119214.tif 000019
【図１８】
2009119214.tif 000020
【図１９】
2009119214.tif 000021
【図２０】
2009119214.tif 000022